(57)【要約】【課題】大容量の水槽容器であっても、次亜塩素酸水の超微粒子を効率良く発生させることができ、しかも大量に且つ長時間にわたって広範囲に散布することができ、また広面積の室内での搬送が容易となる治具次亜塩素酸水噴霧装置を提供する。【解決手段】次亜塩素酸水９を貯蔵した水槽容器２内の当該次亜塩素酸水９を超音波振動によって超微細霧化し、ノズル６を介して噴霧することによりビニルハウスを含む室内の雰囲気の除菌消臭を行う次亜塩素酸水噴霧装置１であって、前記水槽容器２の次亜塩素酸水９内に、トレー容器の底面に超音波振動子４ａを配してなる超微細霧化発生装置４を浸漬浮遊させてなる。【選択図】図１
2020062289.tif 000002
【特許請求の範囲】
【請求項１】
次亜塩素酸水を貯蔵した水槽容器内の当該次亜塩素酸水を超音波振動によって超微細霧化し、ノズルを介して噴霧することによりビニルハウスを含む室内の雰囲気の除菌消臭を行う次亜塩素酸水噴霧装置であって、前記水槽容器の次亜塩素酸水内に、トレー容器の底面に超音波振動子を配してなる超微細霧化発生装置を浸漬浮遊させてなることを特徴とした次亜塩素酸水噴霧装置。
【請求項２】
水槽容器には、前記超微細霧化発生装置の超音波振動子を駆動する超音波発振機が装備され、前記超音波振動子の表面が次亜塩素酸水で浸漬されている状態では前記超音波発振機の電源をオン状態にし、前記水槽容器の傾きにより前記超音波振動子の表面の次亜塩素酸水が無くなるのを契機に前記超音波発振機の電源をオフにする電源オンオフ用の水位センサを前記超微細霧化発生装置に備えたことを特徴とした請求項１記載の次亜塩素酸水噴霧装置。
【請求項３】
水槽容器は、少なくとも１反の前記ビニルハウス内に噴霧できるだけの容量を確保できる容積を備え、キャスタ・タイヤ等の車輪を備えた把持部付架台によって移動可能にしたことを特徴とした請求項１又は２記載の次亜塩素酸水噴霧装置。
【請求項４】
ノズルは、水槽容器の天面の開口部に装着された可撓性を有する蛇腹状円筒部材によって形成されてなり、その背部には前記ノズルから噴霧された超微細霧化した次亜塩素酸水を室内に拡散させるためのブロワを備えたことを特徴とした請求項１乃至３のいずれか記載の次亜塩素酸水噴霧装置。
【発明の詳細な説明】
【技術分野】
【０００１】
本発明は、例えばビニルハウス等の農業施設における室内環境改善のための弱酸性の次亜塩素酸水による除菌消臭を行う次亜塩素酸水噴霧装置に関する。
【背景技術】
【０００２】
従来、弱酸性次亜塩素酸水の噴霧の霧化による鶏等の種卵の表面の殺菌に使われている。次亜塩素酸水は、塩酸または塩化ナトリウム水溶液を電気分解することにより得られる次亜塩素酸（ＨＣｌＯ）を主成分とする水溶液である。また、殺菌剤等の薬剤を散布し、これによって室内を殺菌・消毒する方法が行なわれている。弱酸性次亜塩素酸水は、ハウス内の,菌、ウイルス、雑菌に顕著に効果があり、しかも人体には殆ど影響がないこので、殆どの殺菌・消毒剤として普及されている。
【０００３】
例えば、特許文献１に開示されているように、弱酸性の次亜塩素酸水の容器と混合噴霧装置と液体用チューブで接続され、コンプレッサと混合噴霧装置がエアー用チューブで接合されており、ブロワの前面に混合噴霧装置ホルダーが施され、容器に貯えられている弱酸性の次亜塩素酸水を空気圧が０．２ＭＰａから０．５ＭＰａの範囲にてコンプレッサを作動させることにより、液体・エアー用チューブを経て、大きさ７μから１０μに治まる噴霧粒子として混合噴霧装置から噴霧するウイルス感染拡大予防対策噴霧殺菌装置が提供されている。
【０００４】
ところが上記したような従来の殺菌剤による方法は、必ずしも殺菌力が十分ではないために多量の殺菌剤を散布しなければならず、また大きな粒子の水滴で散布していたために、室内を通常の使用状態で殺菌することが非常に困難であった。因みに、手軽に使えるスプレーボトルの噴霧による粒子径は約１０〜２０マイクロメートルと粒が大きいので遠くに飛ぶ前に下に落下してしまう。
【０００５】
そこで近年では、殺菌性水溶液を超音波等で霧状の微粒子にして放出する方法が試みられている。例えば、特許文献２に開示されているように、次亜塩素酸水溶液の微粒子を広範囲にわたって放出することによって、室内の広範囲の雰囲気空気の殺菌および除菌を少量の次亜塩素酸水溶液によって行なうようにした次亜塩素酸水溶液による殺菌方法および殺菌装置が提供されている。
【０００６】
これは、供給タンクから供給される次亜塩素酸水溶液貯留部内の次亜塩素酸水溶液に対して超音波振動子によって超音波を作用させ、微粒子発生部で次亜塩素酸水溶液の微粒子を発生させ、この微粒子を誘導管路によって噴霧口から大気中に放出する。このときに噴霧口の直下に設けられた噴射口から送出される搬送流にのせて上記噴霧を遠くまで搬送して放出するものとされている。
【先行技術文献】
【特許文献】
【０００７】
【特許文献１】実用新案登録第３１５６２８８号公報
【特許文献２】特開２００３−１６９８４２号公報
【発明の概要】
【発明が解決しようとする課題】
【０００８】
しかしながら、上記した特許文献２の場合、装置全体は卓上型であって、供給タンクから貯留部内に貯えられる次亜塩素酸水の量は限られているため、微粒子を大量に且つ長時間にわたって広範囲に散布することは不可能である。
【０００９】
しかも、上記した特許文献２の場合、貯留部の内底部（底面）に超音波振動板をボルトで取り付けるタイプであるため、貯留部内の次亜塩素酸水溶液の水深が大きい場合には、水面から底部の超音波振動板までの長さが大きいことから、水面から効率良く微粒子を発生させることが困難となる。
【００１０】
また、上記した特許文献２の場合、装置全体は据え置き型であって移動式ではないため、例えばビニルハウス等の農業施設における広面積の室内での搬送が困難である。
【００１１】
そこで、本発明は叙上のような従来存した諸事情に鑑み創出されたもので、例えばビニルハウス等の農業施設における室内環境改善のための弱酸性の次亜塩素酸水による除菌消臭を行う次亜塩素酸水噴霧装置において、広面積のビニルハウス内で広範囲に噴霧できるだけの容量を確保できる大容量の水槽容器であっても、次亜塩素酸水の超微粒子を効率良く発生させることができ、しかも大量に且つ長時間にわたって広範囲に散布することができ、また広面積の室内での搬送が容易となる治具次亜塩素酸水噴霧装置を提供することを目的とする。
【課題を解決するための手段】
【００１２】
上述した課題を解決するために、本発明に係る次亜塩素酸水噴霧装置にあっては、次亜塩素酸水を貯蔵した水槽容器内の当該次亜塩素酸水を超音波振動によって超微細霧化し、ノズルを介して噴霧することによりビニルハウスを含む室内の雰囲気の除菌消臭を行う次亜塩素酸水噴霧装置であって、前記水槽容器の次亜塩素酸水内に、トレー容器の底面に超音波振動子を配してなる超微細霧化発生装置を浸漬浮遊させてなることを特徴とした。
【００１３】
水槽容器には、前記超微細霧化発生装置の超音波振動子を駆動する超音波発振機が装備され、前記超音波振動子の表面が次亜塩素酸水で浸漬されている状態では前記超音波発振機の電源をオン状態にし、前記水槽容器の傾きにより前記超音波振動子の表面の次亜塩素酸水が無くなるのを契機に前記超音波発振機の電源をオフにする電源オンオフ用の水位センサを前記超微細霧化発生装置に備えたことを特徴とした。
【００１４】
水槽容器は、少なくとも１反の前記ビニルハウス内に噴霧できるだけの容量を確保できる容積を備え、キャスタ・タイヤ等の車輪を備えた把持部付架台によって移動可能にしたことを特徴とした。
【００１５】
ノズルは、水槽容器の天面の開口部に装着された可撓性を有する蛇腹状円筒部材によって形成されてなり、その背部には前記ノズルから噴霧された超微細霧化した次亜塩素酸水を室内に拡散させるためのブロワを備えたことを特徴とした。
【発明の効果】
【００１６】
本発明によれば、例えばビニルハウス等の農業施設における室内環境改善のための弱酸性の次亜塩素酸水による除菌消臭を行う次亜塩素酸水噴霧装置において、広面積のビニルハウス内で広範囲に噴霧できるだけの容量を確保できる大容量の水槽容器であっても、次亜塩素酸水の超微粒子を効率良く発生させることができ、しかも大量に且つ長時間にわたって広範囲に散布することができ、また広面積の室内での搬送が容易となる治具次亜塩素酸水噴霧装置を提供することができる。
【００１７】
すなわち、本発明は、次亜塩素酸水を貯蔵した水槽容器内の当該次亜塩素酸水を超音波振動によって超微細霧化し、ノズルを介して噴霧することによりビニルハウスを含む室内の雰囲気の除菌消臭を行う次亜塩素酸水噴霧装置であって、前記水槽容器の次亜塩素酸水内に、トレー容器の底面に超音波振動子を配してなる超微細霧化発生装置を浸漬浮遊させてなるので、大容量の水槽容器により次亜塩素酸水の水深が大きくても、水面直下で浮遊する超微細霧化発生装置により、次亜塩素酸水を約４〜５マイクロメートルの超微粒子にして水面から効率良く発生させることができ、このように超音波式を採用した次亜塩素酸水の超微細霧は室内空間の全域隅々まで行き渡り、しかも熱くない霧を効率良く且つ優しく噴霧することができる。
【００１８】
また、噴霧した霧はすぐに見えなくなってしまうが、成分は落下しないので遠くまで風に乗って室内の隅々まで行き渡って空気を除菌することができ、しかも次亜塩素酸水は安全な成分から造られているので、噴霧された霧を吸い込んでも健康に影響はない。
【００１９】
さらに、超微細霧化発生装置自体は水槽容器に直接底付けされておらず、次亜塩素酸水の中で浮遊しているので、水槽容器に外部から強制的な剛体振動が作用しても超微細霧化発生装置自体にはこの振動が直接伝わらず、流体状の次亜塩素酸水によって緩衝的に保護されている状態で振動伝達されるため、超微細霧化発生装置に外的損傷を直接与えてしまうことはない。しかも、超微細霧化発生装置のメンテナンスも容易となる。
【００２０】
水槽容器には、前記超微細霧化発生装置の超音波振動子を駆動する超音波発振機が装備され、前記超音波振動子の表面が次亜塩素酸水で浸漬されている状態では前記超音波発振機の電源をオン状態にし、前記水槽容器の傾きにより前記超音波振動子の表面の次亜塩素酸水が無くなるのを契機に前記超音波発振機の電源をオフにする電源オンオフ用の水位センサを前記超微細霧化発生装置に備えたので、水槽容器が傾いて超微細霧化発生装置の超音波振動子表面の水が無くなっても、自動的に超音波発振機の電源がオフとなるので、無水での不用意な発振駆動により超微細霧化発生装置の超音波振動子が破損してしまうのを未然に防止することができる。
【００２１】
水槽容器は、少なくとも１反の前記ビニルハウス内に噴霧できるだけの容量を確保できる容積を備え、キャスタ・タイヤ等の車輪を備えた把持部付架台によって移動可能にしたので、次亜塩素酸水の超微細霧を大量に且つ長時間にわたって広範囲に散布することができ、また広面積の室内での搬送が容易となる。
【００２２】
ノズルは、水槽容器の天面の開口部に装着された可撓性を有する蛇腹状円筒部材によって形成されてなり、その背部には前記ノズルから噴霧された超微細霧化した次亜塩素酸水を室内に拡散させるためのブロワを備えたので、広面積の室内であってもノズルとブロワとの協働作用により、次亜塩素酸水の超微細霧を広範囲に散布することができる。
【図面の簡単な説明】
【００２３】
【図１】本発明を実施するための一形態における次亜塩素酸水噴霧装置の使用状態を示す斜前方視の斜視図である。
【図２】同じく次亜塩素酸水噴霧装置の使用状態を示す斜後方視の斜視図である。
【図３】同じく水槽容器の蓋部を開けた状態の斜視図である。
【図４】水槽容器内で超微細霧化発生装置を次亜塩素酸水に浮かせた状態を示す斜視図である。
【図５】次亜塩素酸水噴霧装置の水槽容器の一部を断面で示す概念図である。
【発明を実施するための形態】
【００２４】
以下、図面を参照して本発明の実施の一形態を詳細に説明すると、図において示される符号１は、例えばビニルハウス等の農業施設における室内環境改善のための弱酸性の次亜塩素酸水９による除菌消臭を行う次亜塩素酸水噴霧装置である。
【００２５】
次亜塩素酸水噴霧装置１は、図１及び図２に示すように、蓋部２ａによって上部を開放可能とし且つ内部に後述する所定量の次亜塩素酸水９を収容可能にした（クーラー）ボックスタイプの水槽容器２と、後述する超微細霧化発生装置４の超音波振動子４ａを励振駆動させる電源付きの超音波発振機３とが、キャスタ・タイヤ等の車輪５ａを下面四隅に備え且つ縦長コ字枠状の把持部５ｂを端部に立設した架台５上に搭載されて移動可能としてある。
【００２６】
図１乃至図３に示すように、蓋部２ａの天面に形成された開口部に、可撓性を有する蛇腹状円筒部材によって形成された次亜塩素酸水９噴霧用のノズル６が装着され、その背部には前記ノズル６から噴霧された超微細霧化した次亜塩素酸水９を室内に拡散させるためのブロワ８（図２、図３中では２個）を備えている。なお、図２ではノズル６を２連に並設されている。また、水槽容器２の外側には、前記超微細霧化発生装置４の超音波振動子４ａを駆動するための電源（不図示の例えばＡＣアダプタ付きバッテリ等）付きの超音波発振機３が装備されている。
【００２７】
図３乃至図５に示すように、水槽容器２の内部に収容された次亜塩素酸水９の中には、トレー容器の底面に複数（図示では合計１２個）の超音波振動子４ａを配してなる超微細霧化発生装置４を複数個（図示では２個）を浸漬浮遊させてある。この超音波振動子４ａの内部には、例えば電界が加わると伸び縮みする電歪型（ランジュバン型振動子）のセラミック振動素子（ピエゾ素子）が固着されている。外付けされている超音波発振機３は、これら個々の超微細霧化発生装置４の電極に、例えばワニグチプラグ付きのケーブル４ｂを介して電気接続されている。
【００２８】
また、超微細霧化発生装置４（トレー容器）の四周の各側壁面中央には開口部４ｃが形成されており、側面４方向からトレー容器内に次亜塩素酸水９が（導入）浸入できるようになっている。これにより超微細霧化発生装置４は所定の深さ位置（例えば水面すれすれかあるいは深さ数センチ程度でも可）で浮遊した状態を維持する（図５参照）。
【００２９】
セラミック振動素子は超音波発振機３が出す高周波電力を機械振動に変換し、強力な超音波を超音波振動子４ａから発生させ、次亜塩素酸水９の約４〜５マイクロメートルの超微粒子を当該次亜塩素酸水９の水面より生起させ、前記ノズル６から外部に噴霧させるものである。なお、図２、図３、図５中、符号１０は水槽容器２の内部に生起した次亜塩素酸水９の超微粒子を攪拌するための攪拌ファンである。
【００３０】
図４及び図５に示すように、前記超微細霧化発生装置４を形成するトレー容器の内底面端部には略コ字枠状に立設した電源オンオフ用の水位センサ７を備えている。この水位センサ７は、前記超音波発振機３の電源に電気接続されており、前記超音波振動子４ａの表面が次亜塩素酸水９で浸漬されている状態では超音波発振機３の電源をオン状態（発振状態）にする。一方、水槽容器２の傾きにより前記超音波振動子４ａの表面の次亜塩素酸水９が無くなるのを契機に前記超音波発振機３の電源をオフ状態（無発振状態）にする。
【００３１】
水位センサ７は、一対の電極間、又は一本の電極と金属タンク間の静電容量を検出してレベルを求める方式であって、空時の電気的な状態と満時の電気的な状態の違いからレベル検出を行うものである。水位センサ７として、例えば静電容量式レベルスイッチの場合では検出部は互いに絶縁された検出電極と接地電極から構成され、この２つの電極間に生じる静電容量の変化から測定物の有無を検出する。
【００３２】
水槽容器２は、少なくとも１反のビニルハウス内に噴霧できるだけの容量を確保できる容積を備えている。また、濃度２００ＰＰＭの原液の希釈倍数として４倍とし、濃度を５０ＰＰＭ、原液を５．０Ｌ、水を１５．０Ｌとすれば比較的好適な次亜塩素酸水９の濃度となる。また、ビニルハウス１反当たりの散布量としては、２時間１０Ｌが好ましいが本発明はこれに限定されない。例えば、ビニルハウス２反では３〜４時間とし、さらに濃度５０ＰＰＭ〜６５ＰＰＭでは２時間から３時間の噴霧を行う。
【００３３】
次に、以上のように構成された形態についての使用・動作の一例について説明すると、先ず、水槽容器２の蓋部２ａを開けて、内部に前記一対の超微細霧化発生装置４を収容し、これら個々の超微細霧化発生装置４の電極に、外付けされている超音波発振機３を、例えばワニグチプラグ付きのケーブル４ｂを介して電気接続しておく。
【００３４】
そして水槽容器２に前記した所定量の次亜塩素酸水９を収容し、蓋部２ａを閉める。その後、超音波発振機３の電源をＯＮにして高周波発振信号を前記超微細霧化発生装置４に送り全ての超音波振動子４ａを一斉に励振駆動させる。
【００３５】
このときセラミック振動素子は超音波発振機３が出す高周波電力を機械振動に変換し、強力な超音波を超音波振動子４ａから発生し、次亜塩素酸水９の約４〜５マイクロメートルの超微粒子が当該次亜塩素酸水９の水面より生起され、ブロワ８によって室内に拡散させつつ前記ノズル６から外部に噴霧する。
【００３６】
水槽容器２が傾いたりして前記超微細霧化発生装置４の超音波振動子４ａ表面の次亜塩素酸水９が無くなると、前記水位センサ７によって超音波発振機３の電源をオフ状態（超音波振動子４ａの振動駆動停止）にする。これによって超音波振動子４ａの次亜塩素酸水９に浸漬されていないときの空振動による損傷を未然に防ぐことができる。
【産業上の利用可能性】
【００３７】
なお、本発明に係る次亜塩素酸水噴霧装置を、病院内のウイルス感染防止対策や冬季における家畜のインフルエンザ流行防止対策として使用する等、その他様々な用途に応用しても良い。
【符号の説明】
【００３８】
１…次亜塩素酸水噴霧装置
２…水槽容器
２ａ…蓋部
３…超音波発振機
４…超微細霧化発生装置
４ａ…超音波振動子
４ｂ…ケーブル
４ｃ…開口部
５…架台
５ａ…車輪
５ｂ…把持部
６…ノズル
７…水位センサ
８…ブロア
９…次亜塩素酸水
１０…攪拌ファン
【図１】
2020062289.tif 000003
【図２】
2020062289.tif 000004
【図３】
2020062289.tif 000005
【図４】
2020062289.tif 000006
【図５】
2020062289.tif 000007